(57)【要約】【課題】作業員が昇降機の任意の箇所に移動しながら、振動・騒音などの異常を簡単に診断する。【解決手段】携帯形異常診断機器１２に計測センサ１３を接続し、昇降機の任意の箇所で振動・騒音などを計測する。計測センサ１３によって計測されたデータは計測データ分析部１５によって周波数分析される。異常診断部１６は、この周波数分析されたデータと記憶部１４に記憶されたデータとに基づいて異常の有無を診断すると共に、異常有りの場合にはその異常箇所を診断する。この異常診断部１６によって得られた診断結果は、診断結果出力部１７を通じて出力される。このように、作業員が携帯形異常診断機器１２を用いて昇降機の任意の箇所に移動しながら、振動・騒音などの異常を簡単に診断することができる。【選択図】    図２
2006117435.tif 000002
【特許請求の範囲】
【請求項１】
昇降機の任意の箇所に設置され、発生する振動または騒音を計測する計測センサと、
前記計測センサによって計測されたデータを取得し、その計測データを周波数分析する計測データ分析手段と、
少なくとも、異常周波数範囲と異常発生の原因個所に関するデータが記憶された記憶手段と、
前記計測データ分析手段によって得られたデータと前記記憶手段に記憶されたデータとに基づいて異常の有無を診断し、異常有りの場合にはその異常発生の原因箇所を診断する異常診断手段と、
前記異常診断手段によって得られた異常診断結果を出力する診断結果出力手段と
を備えたことを特徴とする携帯形異常診断機器。
【請求項２】
請求項１に記載の携帯形異常診断機器において、
前記記憶手段には、計測対象となる各箇所毎に異常周波数範囲と異常発生の原因個所に関するデータが記憶され、
前記異常診断手段は、前記記憶手段から前記計測センサが設置された箇所に対応した異常周波数範囲と異常発生の原因個所に関するデータを読み出して、異常の有無と異常発生の原因箇所を診断することを特徴とする。
【請求項３】
持ち運び可能な携帯形異常診断機器と、この携帯形異常診断機器と伝送ラインを介して接続される保守サービスセンタとからなる昇降機異常診断システムであって、
前記携帯形異常診断機器は、
昇降機の任意の箇所に設置され、発生する振動または騒音を計測する計測センサと、
前記計測センサによって計測されたデータを取得し、その計測データを周波数分析する計測データ分析手段と、
少なくとも、異常周波数範囲と異常発生の原因個所に関するデータが記憶された記憶手段と、
前記計測データ分析手段によって得られたデータと前記記憶手段に記憶されたデータとに基づいて異常の有無を診断し、異常有りの場合にはその異常発生の原因箇所を診断する異常診断手段と、
前記異常診断手段によって得られた異常診断結果に基づいて、前記保守サービスセンタに交換部品を問い合わせるための送信手段とを備え、
前記保守サービスセンタは、
前記交換部品の問い合わせに応答して、前記交換部品の在庫状況を確認する部品有無確認手段と、
この部品有無確認手段によって確認された前記交換部品の在庫状況を示す部品関連データを作成する部品関連データ作成手段と、
この部品関連データ作成手段によって作成された部品関連データを前記携帯形異常診断機器に送信する送信手段とを備えたことを特徴とする。
【請求項４】
請求項３に記載の昇降機異常診断システムにおいて、
前記部品関連データ作成手段は、前記交換部品の在庫が有る場合に、在庫有りのデータと共に、前記交換部品の配送状況及び交換作業手順に関するデータを含んだ部品関連データを作成することを特徴とする。
【請求項５】
昇降機の振動または騒音を計測し、その計測結果から異常を診断する昇降機異常診断方法であって、
昇降機の任意の箇所に設置される計測センサから振動または騒音の計測データを取得し、その計測データを周波数分析するデータ分析ステップと、
前記データ分析ステップによって得られたデータと、所定のメモリに記憶された異常周波数範囲と異常発生の原因個所に関するデータとに基づいて異常の有無を診断し、異常有りの場合にはその異常発生の原因箇所を診断する異常診断ステップと、
前記異常診断ステップによって得られた異常診断結果を出力する診断結果出力ステップとを有することを特徴とする。
【請求項６】
請求項５に記載の昇降機異常診断方法において、
前記異常診断ステップによって得られた異常診断結果に基づいて、部品の交換を必要とする場合に、その交換部品の在庫状況を確認する部品有無確認ステップと、
この部品有無確認ステップによって確認された前記交換部品の在庫状況を示す部品関連データを作成する部品関連データ作成ステップと、
この部品関連データ作成ステップによって作成された部品関連データを表示する部品関連データ表示ステップとを有することを特徴とする。
【請求項７】
請求項６に記載の昇降機異常診断方法において、
前記部品関連データ作成ステップは、前記交換部品の在庫が有る場合に、在庫有りのデータと共に、前記交換部品の配送状況及び前記交換部品の交換作業手順のデータを含んだ部品関連データを作成することを特徴とする。
【発明の詳細な説明】
【技術分野】
【０００１】
本発明は、例えばエレベータ、エスカレータなどの昇降機に用いられ、振動や騒音の異常を診断する携帯形異常診断機器、昇降機異常診断システム及びその異常診断方法に関する。
【背景技術】
【０００２】
一般に、エレベータ、エスカレータなどの昇降機は、運転中に振動や騒音が発生することがある。このような振動や騒音は、乗客に不快感を与えるだけでなく、何らかの故障要因を含んでいる場合が多い。そのため、昇降機の運転を続けると、重大な故障につながる可能性がある。
【０００３】
通常、昇降機の据付けが完了したときに、昇降機の設置仕様条件などを満たしているか否かを検証するために振動や騒音を測定している。この段階で振動や騒音が発生しないことが判明すれば、それ以後は測定を行わないのが一般的である。このため、初期の振動や騒音などの異常を見過ごすことが多い。そして、特定の部品の異常が他の部品にも波及して、昇降機の重大故障につながる可能性がある。
【０００４】
そこで、近年、昇降機の状態データを収集し、その状態データから昇降機の異常を監視する遠隔保守システムが提案されている（例えば、特許文献１参照）。
【０００５】
図５に従来のエレベータの遠隔保守システムの構成例を示す。
【０００６】
巻上機５１にロープ５２が掛け渡され、その一端に乗りかご５３、他端に釣り合いおもり５８が取り付けられている。巻上機５１の駆動により、乗りかご５３がロープ５２を介して昇降する。
【０００７】
ここで、乗りかご５３の床面に、走行時の振動データを検出するための加速度センサ５４が設置されている。この加速度センサ５４によって検出された振動データは、テールコード５５を介して制御盤５６に送られた後、この制御盤５６から電話回線を経由してサービスセンタ５７に送信される。
【０００８】
サービスセンタ５７は、メインコンピュータ５９を備える。このメインコンピュータ５９により、乗りかご５３の振動データを解析し、その解析結果に基づいてエレベータの異常の有無を判断する。
【特許文献１】特開２００１−３４１９５６号公報（図３）
【発明の開示】
【発明が解決しようとする課題】
【０００９】
上述したように、従来の遠隔保守システムは、乗りかご５３のかご床に加速度センサ５４を常設している。このため、乗りかご５３の振動状態を常時監視することができる。
【００１０】
しかしながら、何らかの異常が発生した場合、つまり、加速度センサ５４によって大きな振動が検出された場合には、その振動検出個所だけでは原因を究明することはできない。この場合、乗りかご５３を含むエレベータの各箇所に加速度センサ５４を設置しておけば、原因を正確に究明することができるが、エレベータ全体の価格がコストアップするなどの問題がある。
【００１１】
そこで、本発明は、振動や騒音などの異常を簡単に診断することのできる携帯形異常診断機器、昇降機異常診断システム及びその異常診断方法を提供することを目的とする。
【課題を解決するための手段】
【００１２】
（１）  本発明の携帯形異常診断機器は、昇降機の任意の箇所に設置され、発生する振動または騒音を計測する計測センサと、前記計測センサによって計測されたデータを取得し、その計測データを周波数分析する計測データ分析手段と、少なくとも、異常周波数範囲と異常発生の原因個所に関するデータが記憶された記憶手段と、前記計測データ分析手段によって得られたデータと前記記憶手段に記憶されたデータとに基づいて異常の有無を診断し、異常有りの場合にはその異常発生の原因箇所を診断する異常診断手段と、前記異常診断手段によって得られた異常診断結果を出力する診断結果出力手段とを備える。
【００１３】
（２）  本発明の昇降機異常診断システムは、持ち運び可能な携帯形異常診断機器と、この携帯形異常診断機器と伝送ラインを介して接続される保守サービスセンタとからなる。
【００１４】
前記携帯形異常診断機器は、昇降機の任意の箇所に設置され、発生する振動または騒音を計測する計測センサと、前記計測センサによって計測されたデータを取得し、その計測データを周波数分析する計測データ分析手段と、少なくとも、異常周波数範囲と異常発生の原因個所に関するデータが記憶された記憶手段と、前記計測データ分析手段によって得られたデータと前記記憶手段に記憶されたデータとに基づいて異常の有無を診断し、異常有りの場合にはその異常発生の原因箇所を診断する異常診断手段と、前記異常診断手段によって得られた異常診断結果に基づいて、前記保守サービスセンタに交換部品を問い合わせるための送信手段とを備える。
【００１５】
前記保守サービスセンタは、前記交換部品の問い合わせに応答して、前記交換部品の在庫状況を確認する部品有無確認手段と、この部品有無確認手段によって確認された前記交換部品の在庫状況を示す部品関連データを作成する部品関連データ作成手段と、この部品関連データ作成手段によって作成された部品関連データを前記携帯形異常診断機器に送信する送信手段とを備える。
【００１６】
（３）  本発明の昇降機異常診断方法は、昇降機の振動または騒音を計測し、その計測結果から異常を診断する昇降機異常診断方法であって、昇降機の任意の箇所に設置される計測センサから振動または騒音の計測データを取得し、その計測データを周波数分析するデータ分析ステップと、前記データ分析ステップによって得られたデータと、所定のメモリに記憶された異常周波数範囲と異常発生の原因個所に関するデータとに基づいて異常の有無を診断し、異常有りの場合にはその異常発生の原因箇所を診断する異常診断ステップと、前記異常診断ステップによって得られた異常診断結果を出力する診断結果出力ステップとを有する。
【発明の効果】
【００１７】
本発明によれば、振動や騒音などの異常を簡単に診断することができる。
【発明を実施するための最良の形態】
【００１８】
以下、図面を参照して、発明の実施の形態について説明する。
【００１９】
図1は本発明の昇降機異常診断システムをエレベータに適用した場合の構成図である。
【００２０】
巻上機１は、昇降路上部の機械室などに設置されている。この巻上機１には、ロープ２が掛け渡されている。ロープ２の一端部にはエレベータの乗りかご３、ロープ２の他端部には釣り合いおもり４が吊り下げられている。乗りかご３内の側板には、かご操作パネル５、制御盤接続端子６などが設置されている。
【００２１】
制御盤７は、エレベータの運転制御を行うためのコントローラである。この制御盤７は、各階の乗場呼びやかご呼びに応じて巻上機１を駆動制御する。また、この制御盤７は、乗りかご３との間でテールコード８を介して各種信号を送受信すると共に、乗りかご３に電力を供給している。
【００２２】
テールコード８は、一端が乗りかご３の下部に取り付けられ、他端が制御盤７に取り付けられている。かご操作パネル５、制御盤接続端子６、照明機器（図示せず）の各信号線は、このテールコード８に含まれている。
【００２３】
また、制御盤７は、伝送ライン９を介して保守サービスセンタ１０に接続されている。伝送ライン９としては、電話回線、無線通信回線、インターネット回線などが用いられる。保守サービスセンタ１０は、エレベータの保守管理を行っており、部品センタ１１に電話回線などを介して接続されている。部品センタ１１は、エレベータの部品を管理している。
【００２４】
１２は本発明の要部となる携帯形異常診断機器である。携帯形異常診断機器１２は、作業員が持ち運び可能な小型・軽量な構造を有する。また、この携帯形異常診断機器１２には、振動を計測するための加速度センサ１３が着脱自在に接続される。この加速度センサ１３をエレベータの任意の箇所に設置し、その設置箇所で計測されたデータを携帯形異常診断機器１２に取り込む。携帯形異常診断機器１２は、この加速度センサ１３の計測データを解析処理して、異常の有無を診断する。
【００２５】
図２は携帯形異常診断機器１２の内部構成を示す図である。
【００２６】
携帯形異常診断機器１２は、異常診断用データ記憶部１４、計測データ分析部１５、異常診断部１６、診断結果出力部１７、送受信部１８、表示部１９、プリンタ２０を備える。なお、異常診断用データ記憶部１４、計測データ分析部１５、異常診断部１６、診断結果出力部１７は、この携帯形異常診断機器１２に搭載されたＣＰＵ（制御部）の機能を示している。
【００２７】
異常診断用データ記憶部１４は、任意の建物の任意の号機（これらにはＩＤが割当てられる）ごとに、その記憶エリアが用意されている。この異常診断用データ記憶部１４には、例えばかご床，巻上機設置台などの計測箇所毎に、エレベータの運転状態（例えば加速時、一定速度時、減速時など）、異常周波数の範囲、そして、異常発生の原因部品や箇所に関するデータを記憶することができる。これらのデータは、過去の経験や実験の積み重ねに裏付けられたデータであって、新たな異常が発生した場合には、その都度、更新される。
【００２８】
計測データ分析部１５は、加速度センサ１３で計測された振動データを高速フーリェ変換またはウェーブレット変換し、振動データの周波数成分を分析する。
【００２９】
異常診断部１６は、計測データ分析部１５によって得られたデータと異常診断用データ記憶部１４のデータとを比較して異常の有無を診断すると共に、異常有りの場合には何れの箇所が原因であるのかを診断する。
【００３０】
診断結果出力部１７は、異常診断部１６によって得られた異常診断結果を表示部１９またはプリンタ２０に出力する。
【００３１】
送受信部１８は、携帯形異常診断機器１２の出力端子（図示せず）を制御盤接続端子６に接続した状態で、保守サービスセンタ１０との間でデータを送受信する。また、この送受信部１８は、必要に応じて制御盤７から運転状態データ（加速時、一定速度時、減速時の速度指令データ）を受信して、バッファメモリ（図示せず）に一時的に保存する機能を持つ。
【００３２】
なお、あえて制御盤接続端子６を設置しなくても、データの送受信が行えるように、前記送受信部１８として、無線通信機能を有するものを用いても良い。
【００３３】
図３は保守サービスセンタ１０の一例を示す構成図である。なお、ここで言う保守サービスセンタ１０とは、保守サービスセンタ１０内に設置されているコンピュータのことを含むものである。部品センタ１１についても同様である。
【００３４】
保守サービスセンタ１０は、作業員の作業スケジュール及び作業結果などを統括的に管理している。この保守サービスセンタ１０には、保守サービス管理ＤＢ（データベース）２１が接続されている。
【００３５】
保守サービス管理ＤＢ２１は、作業スケジュールデータ部２１ａと、作業結果履歴データ部２１ｂを有する。作業スケジュールデータ部２１ａには、例えば作業日時、作業員の名前とＩＤ、建物ＩＤなどのデータが記憶されている。その他、号機ＩＤ、異常有無、保守完了日時などのデータを追加してもよい。作業結果履歴データ部２１ｂには、建物ごとに号機ＩＤ、異常発生計測日時、異常箇所や部品、部品の有無などのデータが記憶されている。
【００３６】
また、この保守サービス管理ＤＢ２１には、特に図示していないが、部品交換の作業手順や調整手順などのデータも記憶されている。
【００３７】
保守サービスセンタ１０は、作業スケジュールを作成処理する機能を備える。また、この保守サービスセンタ１０は、送受信部２２、データ記録部２３、部品有無確認部２４、送受信部２５、部品関連データ作成部２６を備える。
【００３８】
送受信部２２は、制御盤７との間でデータの送受信を行うものである。詳しくは、送受信部２２は、携帯形異常診断機器１２から交換部品の有無を問い合わせるデータを受信すると共に、その交換部品に関するデータを携帯形異常診断機器１２に送信する。
【００３９】
データ記録部２３は、送受信部２２から交換部品の有無を問い合わせるデータを受信したときに、該当するエレベータの号機ＩＤや、異常発生計測日などのデータを作業結果履歴データ部２１ｂに記録する処理を行う。
【００４０】
部品有無確認部２４は、部品センタ１１に対して交換部品の有無を確認するための処理を行う。
【００４１】
送受信部２５は、部品センタ１１との間でデータの送受信を行う。詳しくは、送受信部２５は、部品センタ１１に対して交換部品の有無を問い合わせるデータを送信すると共に、部品センタ１１からその問い合わせに対する返答データを受信する。返答データとしては、交換部品の在庫の有無や、部品の配送状況などのデータが含まれる。
【００４２】
部品関連データ作成部２６は、部品センタ１１からの返答データに基づいて部品関連データを作成する。この部品関連データには、交換部品の有無や、その交換部品の配送状況の他に、保守サービス管理ＤＢ２１から得られる部品の交換作業手順などのデータが含まれている。
【００４３】
なお、データ記録部２３は、交換部品有りのデータを受けた場合には、作業結果履歴データ部２１ｂの部品有無エリアにその旨のデータを記録する。
【００４４】
次に、本発明の昇降機異常診断システムの動作について説明する。
【００４５】
図４は本発明の昇降機異常診断システムの処理手順を示すフローチャートである。
【００４６】
定期点検時、あるいは、エレベータ管理者から異常発生の通報があると、作業員は携帯形異常診断機器１２を持ってエレベータ設置現場に向かう。エレベータ設置現場において、保守作業者は携帯形異常診断機器１２に加速度センサ１３を接続する。そして、この加速度センサ１３を例えば乗りかご３の床面に設置して、乗りかご３を走行させる。
【００４７】
このとき、所定の操作により携帯形異常診断機器１２に計測箇所を入力しておく。例えば加速度センサ１３を乗りかご３の床面に設置した場合には、計測箇所として「かご床」を入力する。これにより、携帯形異常診断機器１２は以下のような処理を実行する。
【００４８】
すなわち、携帯形異常診断機器１２は、加速度センサ１３から前記計測箇所の振動データを取り込み、計測データ分析部１５にて高速フーリェ変換またはウェーブレット変換を行って振動データの周波数成分を分析する（Ｓ１：データ分析ステップ）。
【００４９】
次に、携帯形異常診断機器１２は、計測データ分析部１５によって分析結果として得られた振動データの周波数成分を異常診断部１６に与える。異常診断部１６では、異常診断用データ記憶部１４を参照して、前記分析結果として得られた振動データの周波数成分が前記計測箇所における異常周波数の範囲内に入っているか否かを判断する（Ｓ２：異常診断ステップ）。より好ましくは、乗りかご３の運転状態も加味した状態で、異常周波数の範囲内に入っているか否かを判断する。
【００５０】
前記分析結果として得られた振動データの周波数成分が異常周波数の範囲内に入っていた場合には、異常診断部１６は、異常有りと診断する。また、異常有りの場合には、異常診断部１６は、異常診断用データ記憶部１４からその異常周波数範囲に対応した異常発生の原因となった部品や個所を検索する。この検索された異常発生の原因部品や個所は、診断結果出力部１７を通じて表示部１９に表示される（Ｓ３：診断結果出力ステップ）。
【００５１】
このように、携帯形異常診断機器１２に接続された加速度センサ１３を例えばかご床などの任意の箇所に設置するだけで、この加速度センサ１３で計測された走行振動波形から異常の有無を簡単に診断でき、さらに、異常原因となった部品や個所を迅速に解明することができる。
【００５２】
しかも、作業員がエレベータの走行振動波形を分析する特別の知識や経験がなくても、確実にエレベータの異常部品・異常個所を検出できる。
【００５３】
また、異常有りの場合、その異常原因として推測される部品や個所が表示部１９に表示される。したがって、その表示された部品や箇所に加速度センサ１３を設置して、前記と同様に携帯形異常診断機器１２を用いて振動波形を計測すれば、より的確な異常判断を行うことができる。その結果、異常の程度に応じては、例えばネジの締め直しなどの簡単な調整だけで、その場所で容易に異常を解消することができる。
【００５４】
さらに、部品の交換を必要とする場合には、携帯形異常診断機器１２を制御盤接続端子６に接続することにより、保守サービスセンタ１０に交換部品の問い合わせを行うこともできる。
【００５５】
この場合、作業員の操作に従って、作業員ＩＤ、建物ＩＤ、号機ＩＤを含む異常個所データと共に、交換部品の有無を問い合わせるためのデータが携帯形異常診断機器１２の送受信部１８から送信される。この送受信部１８から送信されたデータは、テールコード８を介して制御盤７に与えられた後、制御盤７から伝送ライン９を介して保守サービスセンタ１０に伝送される。
【００５６】
保守サービスセンタ１０は、送受信部２２を介して異常個所データを伴う交換部品有無の問い合わせデータを受信すると、以下のような処理を行う。
【００５７】
すなわち、保守サービスセンタ１０は、まず、データ記録部２３を通じて、保守サービス管理ＤＢ２１の作業スケジュールデータ部２１ａに記憶された作業員ＩＤと受信データに含まれる作業員ＩＤとを照らし合わせて、正規の作業員からの問い合わせであるかどうかを確認する。正規の作業員からの問い合わせであれば、該当する建物ＩＤの作業結果履歴データ部２１ｂに号機ＩＤ、異常発生計測日時、部品・箇所の各項目にデータを記録する。
【００５８】
次に、保守サービスセンタ１０は、部品有無確認部２４を実行する。この部品有無確認部２４は、建物ＩＤ、号機ＩＤを含む交換部品有無の問い合わせデータを送受信部２５を介して部品センタ１１に送信することにより、交換部品の有無を確認する（Ｓ４：部品有無確認ステップ）。
【００５９】
部品センタ１１には、部品在庫一覧データが保存されている。部品センタ１１は、この部品在庫一覧データを用いて部品の在庫状況を調べ、その結果を保守サービスセンタ１０に伝える。また、部品の在庫があれば、建物ＩＤ、号機ＩＤに基づいて現地に通常ルートで配送するか、緊急ルートで配送するか、或いは、保守サービスセンタ１０に部品の配送を委任するかなどを決めて、その結果を保守サービスセンタ１０に伝える。
【００６０】
ここで、保守サービスセンタ１０は、送受信部２５及び部品有無確認部２４を介して部品センタ１１からデータを受け取ると、部品関連データ作成部２６によって部品関連データを作成して携帯形異常診断機器１２に送信する（Ｓ５：部品関連データ作成ステップ）。この部品関連データには、交換部品の在庫有無データ、配送状況データ（通常配送／緊急持ち込み／部品手配など）の他に、例えば保守サービス管理ＤＢ２１から得られる部品の交換作業手順データが含まれる。
【００６１】
携帯形異常診断機器１２は、保守サービスセンタ１０から部品関連データを受けると、これを表示部１９に表示する（Ｓ６：部品関連データ表示ステップ）。この表示内容から交換部品有無、配送状況、部品の交換作業の手順などを確認することができる。
【００６２】
このように、部品の交換を必要とする場合には、携帯形異常診断機器１２を制御盤接続端子６に接続し、所定の操作により保守サービスセンタ１０に交換部品有無の問い合わせデータを送信する。保守サービスセンタ１０では、部品センタ１１の在庫状況を調べ、その交換部品の有無や、配送状況、交換作業手順などのデータを携帯形異常診断機器１２に返送する。
【００６３】
したがって、現場にいる作業員は、その場で交換部品の有無を確認できる。また、緊急を要する場合には、保守サービスセンタ１０にその旨のデータを送信すれば、現場にて部品を受け取って交換作業を行うことができる。
【００６４】
また、作業員は、その部品の交換作業手順のデータを入手しているので、円滑かつ誤りなく、部品の交換を行うことができる。なお、この交換作業手順のデータには、部品の交換作業だけでなく、異常箇所の調整作業に関するデータも含まれている。
【００６５】
本発明は、上記実施の形態に限定されるものでなく、その要旨を逸脱しない範囲で種々変形して実施できる。
【００６６】
（１）  上記実施の形態では、異常診断用データ記憶部１４に異常診断を行うための最小限のデータを設定しているので、例えば異常振動が発生している場合でも、異常診断用データに該当しない場合がある。
【００６７】
そこで、異常原因を特定できない場合に、振動計測方法（例えば計測位置の指示、異なる変換方式の選定など）、異常個所の点検方法（例えばシーブ(SHEAVE)のバランスが悪い場合にはパテを付けて点検するなど）、異常箇所の調整方法（例えば制御盤の制御ゲインを増減させるなど）に関するガイダンス機能を持たせることでも良い。このようにすれば、さらに異常診断結果を向上でき、かつ現場で速やかに異常を解決することができる。
【００６８】
（２）  また、上記実施の形態では、携帯形異常診断機器１２として専用機器を用いたが、図２と同様のソフトウエア機能をもつ汎用のノート型パソコンを用いても良い。つまり、近年では、パソコンとして携帯形のノート型パソコンが主流であり、これを携帯形異常診断機器１２として使用することができる。
【００６９】
（３）  さらに、上記実施の形態は、携帯形異常診断機器１２に加速度センサ１３を接続してエレベータの任意箇所における振動データを計測したが、例えば加速度センサ１３に代えて騒音を計測するセンサを接続し、同様の要領で、エレベータの任意箇所における騒音データを計測して異常診断を行う構成であっても良い。
【００７０】
また、携帯形異常診断機器１２に加速度センサ１３と騒音センサ（図示せず）を交互または同時に接続して異常診断を行うようにすれば、異常個所や異常部品をさらに正確に特定することができる。
【００７１】
（４）  さらに、本発明は、エレベータの異常診断だけでなく、エスカレータの異常診断にも容易に適用できることは言うまでもない。
【図面の簡単な説明】
【００７２】
【図１】図1は本発明の昇降機異常診断システムをエレベータに適用した場合の構成図である。
【図２】図２は本発明の携帯形異常診断機器の内部構成を示す図である。
【図３】図３は保守サービスセンタ１０の一例を示す構成図である。
【図４】図４は本発明の昇降機異常診断システムの処理手順を示すフローチャートである。
【図５】図５は従来のエレベータの遠隔保守システムの構成を示す図である。
【符号の説明】
【００７３】
１…巻上機、３…乗りかご、１０…保守サービスセンタ、１１…部品センタ、１２…携帯形異常診断機器、１３…加速度センサ、１４…異常診断用データ記憶部、１５…計測データ分析部、１６…異常診断部、１７…診断結果出力部、１８…送受信部、２１…保守サービス管理ＤＢ、２１ａ…作業スケジュールデータ部、２１ｂ…作業結果履歴データ部、２２…送受信部、２３…データ記録部、２４…部品有無確認部、２５…送受信部、２６…部品関連データ作成部。
【図１】
2006117435.tif 000003
【図２】
2006117435.tif 000004
【図３】
2006117435.tif 000005
【図４】
2006117435.tif 000006
【図５】
2006117435.tif 000007